(57)【要約】【課題】表皮材の成形コストおよび表皮一体発泡成形品の製造コストの低減を図る。【解決手段】表皮材３０は、表皮一体発泡成形品の外部意匠面を構成する意匠製品部３２と、この意匠製品部３２の端縁に沿って所要幅で延在して外部意匠面を構成しない意匠外製品部３４と、この意匠外製品部３４の端縁に沿って延在して最終的に切除される製品外部３６とから構成される。意匠製品部３２は、その全体が、第１の合成樹脂原料から形成された意匠形成層４０と、第２の合成樹脂原料から形成されて意匠形成層４０を裏側から形状保持する形状保持層４２との２層部分から構成される。意匠外製品部３４は、一部分が意匠形成層４０および形状保持層４２の２層部分から構成されると共に、残りの部分が形状保持層４２だけの単層部分から構成される。製品外部３６は、実質的に形状保持層４２だけで構成される。【選択図】図１
2005074800.tif 000002
【特許請求の範囲】
【請求項１】
表皮成形型の表皮成形面(52)に吹付けた合成樹脂原料を硬化させて成形され、所要形状に成形した基材(12)およびこの基材(12)の外側で発泡成形した発泡体(14)と共に表皮一体発泡成形品(10)を構成する表皮材(30)であって、
表皮材(30)は、表皮一体発泡成形品(10)の外部意匠面を構成する意匠製品部(32)と、この意匠製品部(32)の端縁に沿って所要幅で延在して外部意匠面を構成しない意匠外製品部(34)と、この意匠外製品部(34)の端縁に沿って延在して最終的に切除される製品外部(36)とから構成され、
意匠製品部(32)は、その全体が、第１の合成樹脂原料(U1)から形成された意匠形成層(40)と、第２の合成樹脂原料(U2)から形成されて意匠形成層(40)を裏側から形状保持する形状保持層(42)との２層部分から構成され、
意匠外製品部(34)は、一部分が意匠形成層(40)および形状保持層(42)の２層部分から構成されると共に、残りの部分が形状保持層(42)だけの単層部分から構成され、
製品外部(36)は、実質的に形状保持層(42)だけで構成されている
ことを特徴とする表皮材。
【請求項２】
意匠形成層(40)を形成する第１の合成樹脂原料(U1)は、高機能なポリウレタンエラストマーを成形するものである請求項１記載の表皮材。
【請求項３】
意匠形成層(40)は、単体の硬度が７０〜７５(ショアＡ硬度)とされる請求項２記載の表皮材。
【請求項４】
形状保持層(42)を形成する第２の合成樹脂原料(U2)は、一般的なポリウレタンエラストマーを成形するものである請求項１〜３の何れかに記載の表皮材。
【請求項５】
形状保持層(42)は、単体の硬度が６５〜７０(ショアＡ硬度)とされる請求項４記載の表皮材。
【請求項６】
製品外部(36)の肉厚(T2)は０.５〜１.５ｍｍである請求項１〜５の何れかに記載の表皮材。
【請求項７】
製品外部(36)は、基材(12)と表皮材(30)との間に画成した発泡空間(66)内で発泡体(14)を発泡成形するに際し、発泡成形型(60)の型閉めにより基材(12)の外面へ圧縮的に変形しながら密着し、これら基材(12)と表皮材(30)とのシール状態を形成し得るようになっている請求項１〜６の何れかに記載の表皮材。
【発明の詳細な説明】
【技術分野】
【０００１】
本発明は、表皮材に関し、更に詳細には、表皮成形型の成形面に吹付けた合成樹脂原料から成形され、所要形状に成形した基材の外面で発泡成形した発泡体の外面に配設されて、これら基材および発泡体と共に表皮一体発泡成形品を構成する表皮材に関するものである。
【背景技術】
【０００２】
自動車の乗員室内に設置される車両内装部材として、乗員室前方に組付けられるインストルメントパネル、乗員室側方のドアに組付けられるドアパネル、各ピラーを覆うように組付けられるピラーガーニッシュ、天井に組付けられるルーフパネル等がある。これら車両内装部材は、乗員室内の質感向上のための装飾機能を付与させる他に、シートに着座している乗員の前方や側方等に位置するため、衝突事故発生時に乗員が衝突することを想定して衝撃吸収機能を付与させるようにしたものが多い。従って前述した車両内装部材は、適度の剛性を有する合成樹脂成形部材である基材単体からなる単層構造タイプの他に、この基材の外面に弾力性のある発泡体および表皮を配設した３層構造タイプとして、装飾効果および衝撃吸収効果を高めたものが実用化されている。このような基材、発泡体および表皮材からなる３層構造タイプの車両内装部材は、予備成形した基材および予備成形した表皮材の間で発泡体を発泡成形して製造するようになっており、「表皮一体発泡成形品」と称することもできる。なお表皮一体発泡成形品は、前述した車両内装部材に限定されるものではなく、例えば各種家具等も含まれる。
【０００３】
ここで表皮材は、真空成形技術を利用して樹脂シート材から成形されるもの、パウダースラッシュ成形技術を利用して樹脂パウダーから成形されるものが多く実施に供され、成形性やコスト面等から有利とされる塩化ビニルが成形原料として採用されていた。しかしながら、塩化ビニルが環境保護やリサイクル等の観点から課題を内在しているため、近年に至っては脱塩化ビニルということで、例えばスプレー成形技術を利用してポリウレタンから成形されたポリウレタンエラストマー等を材質とする表皮材が採用されるようになっている。このスプレー成形技術とは、周知の如く、所要形状に成形した表皮成形型の成形面にポリウレタン等の合成樹脂原料を所要厚にスプレー塗布し、この合成樹脂原料が硬化した後に脱型することで、成形面の表面形状および表面模様が転写された所要厚のシート状成形品を得る成形方法である。なお、スプレー成形技術に関しては、例えば特許文献１に開示されている。
【０００４】
図１３は、表皮一体発泡成形品とされるインストルメントパネルの概略断面図である。このインストルメントパネル１０は、所要形状に形成された合成樹脂製の基材１２と、この基材１２の外面に配設されてインストルメントパネル１０の意匠面を形成するポリウレタンエラストマーからなる表皮材１６と、これら基材１２および表皮材１６の間に介在された発泡体１４とからなる３層構造を呈している。そして、インストルメントパネル１０の上面等には、エアコンユニットＡＣにダクトＤを介して連通接続され、基材１２、発泡体１４および表皮材１６に亘って貫通した空気吹出口１８が開設されている。このようなインストルメントパネル１０は、予備成形した基材１２および予備成形した表皮材１６をセットした発泡成形型(図示せず)を型閉めし、基材１２の外面輪郭部と表皮材１６の外面輪郭部とを密着的に当接させてシール状態を形成したもとで、これら基材１２と表皮材１６との間に画成される発泡空間内で発泡体１４を発泡成形した後、不要部分を切除することで空気吹出口１８等を形成して製造されるようになっている。
【０００５】
このため予備成形される表皮材１６は、図１４に例示するように、少なくともインストルメントパネル１０の外部意匠面を構成する製品部２０と、この製品部２０の端縁に沿って所要幅で延在して、発泡成形型の型閉め時に基材１２の外面に密着してシール状態を形成するスカート部２２とから構成されている。なお、インストルメントパネル１０の形状や、発泡体１４の発泡成形作業上等の関係から、スカート部２２のサイズが大きくなったり形状が複雑とならざるを得ない場合もある。
【特許文献１】特開２００３−１１２３２６号公報
【発明の開示】
【発明が解決しようとする課題】
【０００６】
ところで表皮材１６は、直射日光に晒される部位で使用に供されるので耐候性は勿論、耐光性、耐熱性、耐湿性、耐摩耗性等も要求されるため、変質や変色が発生し難くく、かつ熱履歴に耐え得るような素材から形成する必要がある。このため従来の表皮材１６は、図１４に例示したように、製品部２０からスカート部２２に亘る全てを、耐候性、耐光性、耐熱性、耐湿性、耐摩耗性等に優れる高機能のポリウレタンエラストマーで、１〜２ｍｍ程度の厚みの単層に形成していた。従って、この高機能のポリウレタンエラストマーが比較的高価であることから原材料費が嵩み、１枚当りの成形コストが嵩んでしまう難点が指摘されていた。しかも、シール状態を形成するために機能するスカート部２２の一部は、製品としてのインストルメントパネル１０においては不要な部分であって、このような不要部分２４は発泡成形工程の後工程において切除してしまうため、この不要部分２４をも高機能のポリウレタンエラストマーで形成するという非合理的な状況が発生していた。
【０００７】
一方、前述したスプレー成形技術は、スプレーガンによりポリウレタン等の合成樹脂原料を表皮成形型の成形面にスプレー塗布する成形態様であるから、この合成樹脂原料を成形面全体に均一な厚みに塗布するのは技術的に困難である。従って成形された表皮材１６は、１ｍｍ程度の厚みに成形しようとしても全体的には均一な厚みになっておらず、また成形された各々の表皮材１６毎でも厚み寸法に多少のバラツキが発生してしまう。また、高機能なポリウレタンエラストマーから形成された表皮材１６は、殊に厚み方向への圧縮的変形が起こり難い特性を有している。このため、(ａ)表皮材１６のスカート部２２の厚みが均一でない、(ｂ)スカート部２２がシール材として機能するに充分な柔軟性を有していない、等の理由から、発泡体１４の成形に際して発泡成形型を型閉めしたとしてもスカート部２２と基材１２とのシール状態が適切に形成されない虞がある。このため、図１４に例示したように、ウレタンスラブ等から切り出されたシール材２６を、粘着剤等でスカート部２２に装着してシール状態が確実に形成されるようにする対策を施す必要が生じるため、このシール材２６の原材料費や成形作業および装着作業等が追加されてインストルメントパネル１０の製造コストが嵩む問題を内在していた。更に、切除された不要部分２４には、シール材２６を装着するための前述した粘着剤が混在しているため、この不要部分２４をリサイクルする際に支障を来たす問題等もあった。
【０００８】
そこで本発明は、前述した課題を好適に解決するべく提案されたもので、高価な高機能のポリウレタンエラストマーと廉価なポリエチレンエラストマーとを適切に使用して原材料費節減による成形コストの低減を図ると共に、発泡体の発泡成形時におけるシール状態を別途のシール材を使用することなく形成し得るようにして表皮一体発泡成形品の製造コストの低減を図り得るようにした表皮材を提供することを目的とする。
【０００９】
前記課題を解決し、所期の目的を達成するため本発明は、表皮成形型の成形面に吹付けた合成樹脂原料を硬化させて成形され、所要形状に成形した基材およびこの基材の外側で発泡成形した発泡体と共に表皮一体発泡成形品を構成する表皮材であって、
表皮材は、表皮一体発泡成形品の外部意匠面を構成する意匠製品部と、この意匠製品部の端縁に沿って所要幅で延在して外部意匠面を構成しない意匠外製品部と、この意匠外製品部の端縁に沿って延在して最終的に切除される製品外部とから構成され、
意匠製品部は、その全体が、第１の合成樹脂原料から形成された意匠形成層と、第２の合成樹脂原料から形成されて意匠形成層を裏側から形状保持する形状保持層との２層部分から構成され、
意匠外製品部は、一部分が意匠形成層および形状保持層の２層部分から構成されると共に、残りの部分が形状保持層だけの単層部分から構成され、
製品外部は、実質的に形状保持層だけで構成されていることを特徴とする。
【発明の効果】
【００１０】
本発明に係る表皮材によれば、表皮一体発泡成形品の外面に直接的に露出して外部意匠面を構成する意匠製品部において、この意匠製品部の表面側だけに意匠形成層を薄肉に形成するようにしたため、原材料費が嵩む第１の合成樹脂原料の使用量を最小限に抑えて成形コストの低減を図り得る有益な効果を奏する。
また、最終的に切除される製品外部が、廉価な第２の合成樹脂原料だけから形成されているため、原材料費のロスを最小限に抑えることが可能である。また、最終的に切除される製品外部にシール機能を付与するようにしたため、別途のシール材を別途準備する必要がなくなり、表皮一体発泡成形品の製造コストの低減を図り得る。更に不要部分には、シール材を装着する際に使用される貼着材等が混在していないため、不要部分のリサイクルの容易化が図られる等の利点もある。
【発明を実施するための最良の形態】
【００１１】
次に、本発明に係る表皮材につき、好適な実施例を挙げて、添付図面を参照しながら以下説明する。なお実施例では、表皮一体発泡成形品として、基材、発泡体および表皮材からなる３層構造のインストルメントパネルを例示する。従って、図１３および図１４に例示したインストルメントパネル１０と同一の部材・部位に関しては、同一の符号を付して説明する。
【実施例】
【００１２】
図１は、好適実施例に係る表皮材の概略断面図、図２は図１のＡ部拡大図、図３は図１のＢ部拡大図、また図４は図１に例示した表皮材を採用した表皮一体発泡成形品としてのインストルメントパネルの概略断面図である。
【００１３】
実施例の表皮材３０は、後述すると共に図５〜図８に例示するように、スプレー成形技術を利用して表皮成形型５０の表皮成形面５２に吹付けた合成樹脂原料を硬化させて成形され、所要形状に成形した基材１２およびこの基材１２の外側で発泡成形した発泡体１４と共にインストルメントパネル１０を構成する。このような表皮材３０は、インストルメントパネル１０の外部意匠面を構成する意匠製品部３２と、この意匠製品部３２の端縁に沿って所要幅で延在して外部意匠面を直接的に構成しない意匠外製品部３４と、この意匠外製品部３４の端縁に沿って延在して最終的に切除(トリミング)される製品外部３６とから構成されている。
【００１４】
意匠製品部３２とは、インストルメントパネル１０が乗員室前方に設置された実施状態において乗員室へ露出する部分であり、従ってフロントウィンドウＦＷを介して差込む直射日光に晒される部分である。また意匠外製品部３４とは、インストルメントパネル１０が乗員室前方に設置された実施状態において乗員室へ露出しない(インストルメントパネル１０の構成部材や他部材により被覆されて露出しない)部分であり、従って直射日光に晒されない部分である。更に製品外部３６とは、表皮材３０の成形時またはインストルメントパネル１０の製造時(発泡体１４の成形時)に必要であるものの、成形および製造の完了後には不要となる部分である。ここで、意匠外製品部３４の一部および製品外部３６は、図１４に例示した従来の表皮材１６におけるスカート部２２に相当する部分である。
【００１５】
そして実施例の表皮材３０では、意匠製品部３２、意匠外製品部３４および製品外部３６毎に、構造が異なっている。すなわち意匠製品部３２は、図１〜図３に例示したように、その全体が、第１の合成樹脂原料Ｕ１から形成された意匠形成層４０と、第２の合成樹脂原料Ｕ２から形成されて意匠形成層４０を裏側から形状保持する形状保持層４２との２層部分から構成されている。第１の合成樹脂原料Ｕ１とは、高機能(耐候性、耐光性、耐熱性、耐湿性、耐摩耗性等に優れる)なポリウレタンエラストマーを成形するものであって、図１４に例示した従来の表皮材１６を成形する際に使用される合成樹脂原料と基本的に同一のものであり、かつインストルメントパネル１０の製品色に予め着色されている。一方、第２の合成樹脂原料Ｕ２とは、比較的廉価で一般的なポリウレタンエラストマーを成形するものであって、第１の合成樹脂原料Ｕ１と同色または近似色に着色されているものが好適に実施される。
【００１６】
高機能なポリウレタンエラストマーからなる意匠形成層４０は、厚さＴ１＝０.２〜０.８ｍｍに形成されており、前述したように所要の耐候性、耐光性、耐熱性、耐湿性、耐摩耗性等を有しており、硬化した際の単体での硬度は７０〜７５(ショアＡ硬度)となっている。一方、一般的なポリウレタンエラストマーからなる形状保持層４２は、厚さＴ２＝０.５〜１.５ｍｍに形成されていて所要の耐熱性等を有しており、硬化した際の単体での硬度は６５〜７０(ショアＡ硬度)となっている。
【００１７】
なお形状保持層４２は、ポリウレタンエラストマーの発泡体とすれば、形状保持層４２の柔軟性向上が図られる。ポリウレタンエラストマーの発泡体は、第２の合成樹脂原料Ｕ２に所要量の水分を添加することにより、スプレー塗布されたこの合成樹脂原料Ｕ２が所要時間経過後に発泡することにより得られる。ここで発泡倍率は、水分の添加量により適宜調整され、例えば２〜１０倍程度で設定可能である。
【００１８】
意匠外製品部３４は、図１〜図３に例示したように、一部分が意匠形成層４０および形状保持層４２の２層部分から構成されると共に、残りの部分が形状保持層４２だけの単層部分から構成されている。２層部分は、主に意匠製品部３２と隣接した側に位置しているが、これは後述すると共に図７に例示するように、意匠形成層４０を形成するための第１の合成樹脂原料Ｕ１を表皮成形型５０における表皮成形面５２の主成形面５４にスプレー塗布するに際し、この合成樹脂原料Ｕ１の一部が副成形面５６に吹付けられて形成されるものである。一方、単層部分は、主に製品外部３６と隣接する側に位置している。この意匠外製品部３４は、前述したように、インストルメントパネル１０の外面に露出しない部分であるから、廉価な第２の合成樹脂原料Ｕ２だけで形成しても差し支えない部分である。
【００１９】
製品外部３６は、図１〜図３に例示したように、実質的に形状保持層４２だけで構成されている。この製品外部３６は、前述したように、最終的(発泡体１４の発泡成形完了後)に切除される部分であるため、廉価な第２の合成樹脂原料Ｕ２だけで形成される。
【００２０】
このように実施例の表皮材３０では、インストルメントパネル１０の外面に直接的に露出して外部意匠面を構成する意匠製品部３２において、この意匠製品部３２の表面側だけに意匠形成層４０を薄肉に形成するようにしたため、原材料費が嵩む第１の合成樹脂原料Ｕ１の使用量を最小限に抑えることができ、図１４に例示した従来の表皮材１６と比べて成形コストを大幅に低減できる。すなわち、実施例の表皮材３０における１枚当りに使用される第１の合成樹脂原料Ｕ１の使用量は、従来の表皮材１６における１枚当りに使用される第１の合成樹脂原料Ｕ１の１／３程度となり、１枚当りの成形コストは概ね１／２程度に低減できる。しかも、最終的に切除される製品外部３６には第１の合成樹脂原料Ｕ１が全く使用されないため、非合理的な状況が発生することがない。
【００２１】
次に、前述した実施例の表皮材３０を成形する工程につき、図５〜図８を引用して説明する。実施例の表皮材３０は、図５に略示した表皮成形型５０を使用して、スプレー成形技術に基づいて成形される。この表皮成形型５０は、インストルメントパネル１０の外面意匠形状に基づいて形成された表皮成形面５２を有し、この表皮成形面５２には、前記意匠製品部３２に対応する主成形面５４と、意匠外製品部３４に対応する副成形面５６と、製品外部３６に対応する予備成形面５８とから構成されている。
【００２２】
このような表皮成形型５０を使用した表皮材３０の成形工程では、先ず図６に例示するように、主成形面５４に対して第１の合成樹脂原料Ｕ１を、第１スプレーガンＳＧ１を使用して０.２〜０.８ｍｍの範囲内で所望とする厚さにスプレー塗布する。この際に、副成形面５６はマスキングテープ等でマスキング処理を行なっていないため、図７に例示するように、主成形面５４の外部輪郭部分へ第１の合成樹脂原料Ｕ１をスプレー塗布するに際し、この第１の合成樹脂原料Ｕ１の一部が副成形面５６へ付着するようになる。主成形面５４の全面および副成形面５６の一部にスプレー塗布された第１の合成樹脂原料Ｕ１は、これら成形面５４,５６が所定温度に加熱保温されていることにより硬化が促進される。
【００２３】
第１の合成樹脂原料Ｕ１の硬化進行中または硬化が完了したら、図８に例示するように、第１の合成樹脂原料Ｕ１の裏面、副成形面５６および予備成形面５８に亘って第２の合成樹脂原料Ｕ２を、第２スプレーガンＳＧ２を使用して０.５〜１.５ｍｍの範囲内で所望とする厚さにスプレー塗布する。そして、スプレー塗布された第２の合成樹脂原料Ｕ２が硬化したら、成形された表皮材３０を表皮成形面５２から剥離して脱型することで、表皮材３０の成形作業が完了する。
【００２４】
前述した表皮成形方法では、第１の合成樹脂原料Ｕ１のスプレー塗布時に副成形面５６に対するマスキング処理を行なっていないため、第１の合成樹脂原料Ｕ１の一部が副成形面５６に付着するようになり、これにより意匠外製品部３４が部分的に２層部分となる。しかしながら、この意匠外製品部３４は、インストルメントパネル１０の外面に直接的に露出しないため、２層部分と単層部分とが混在してもインストルメントパネル１０の質感低下を招来する問題は生じない。それよりも、表皮成形作業に際して、副成形面５６に対するマスキング処理作業(マスキングテープの貼着作業、剥離作業)が省略されるため、成形作業効率の向上を図り得る効果が期待できる。更には、マスキングテープの原材料費や、マスキング処理に係る作業コスト等が削減されるので、表皮材３０の成形コストの低減を図り得る等の効果も期待できる。
【００２５】
次に、前述のように構成された実施例の表皮材３０を使用してインストルメントパネル１０を成形する工程につき、図９〜図１２を引用して説明する。実施例のインストルメントパネル１０は、図９に略示した発泡成形型６０を使用して発泡体１４を成形することで製造される。この発泡成形型６０は、予備成形した表皮材３０をセットする第１成形型６２と、予備成形した基材１２をセットする第２成形型６４とから構成されて、第１成形型６２に対して第２成形型６４を型閉め可能となっている。
【００２６】
表皮材３０をセットした第１成形型６２に対して基材１２をセットした第２成形型６４を型閉めすると、図１０(ａ)に例示するように、表皮材３０と基材１２との間に発泡空間６６が画成されるようになる。そして、図１０(ｂ)に拡大して例示するように、表皮材３０の製品外部３６が基材１２の表面に圧縮的に変形しながら押付けられるようになり、これら表皮材３０と基材１２とのシール状態が好適に形成される。殊に製品外部３６は、第２の合成樹脂原料Ｕ２を発泡成形して形成されているため、柔軟性に富んでいて基材１２の外面形状に追従するよう容易に変形し、厚みに多少のバラツキがあってもこれを吸収しながらシール状態を好適に形成するようになる。
【００２７】
なお、発泡成形型６０の型閉めに先立ち、第１成形型６２にセットした表皮材３０の上面に所定量の発泡原料を注入しておくことにより、型閉め後に発泡空間６６内で発泡原料が発泡反応しながら膨張を開始し、所定時間経過後に発泡空間６６内に充満した発泡体１４が形成される(図１１)。この際に、製品外部３６により、表皮材３０と基材１２とのシール状態が形成されているため、成形途中の発泡体１４がこれらの境界部分から漏出することはない。
【００２８】
発泡体１４の成形作業が完了したら、製造されたインストルメントパネル１０を発泡成形型６０から脱型する。そして図１２(ａ)に例示した各カットラインＣ.Ｌに沿って切込みを入れることで、図１２(ｂ)に例示するように、製品外部３６を含む不要部分２４が切除される。
【００２９】
このように実施例の表皮材３０では、不要部分２４の一部として切除される製品外部３６が、廉価な第２の合成樹脂原料Ｕ２だけから形成されているため、原材料費のロスを最小限に抑えることが可能である。また、最終的に切除される製品外部３６にシール機能を付与するようにしたため、図１４に例示したようなシール材２６を別途準備する必要がなく、インストルメントパネル１０の製造コストの低減を図り得る。また、不要部分２４には貼着材等が混在していないため、不要部分２４のリサイクルの容易化が図られる。
【産業上の利用可能性】
【００３０】
本願の表皮材は、表皮成形型の成形面に吹付けた合成樹脂原料を硬化させて成形され、所要形状に成形した基材およびこの基材の外側で発泡成形した発泡体と共に表皮一体発泡成形品を構成する表皮材であって、例えばインストルメントパネル、ドアパネル、ピラーガーニッシュおよびルーフパネル等の種々車両内装部材や、この他に種々家具等が対象とされる。
【図面の簡単な説明】
【００３１】
【図１】好適実施例に係る表皮材の概略断面図である。
【図２】図１のＡ部拡大図である。
【図３】図１のＢ部拡大図である。
【図４】図１に例示した表皮材を採用した表皮一体発泡成形品としてのインストルメントパネルの概略断面図である。
【図５】表皮成形型の概略断面図である。
【図６】図５に例示した表皮成形型において、主成形面に第１の合成樹脂原料をスプレー塗布して意匠製品部の意匠形成層を成形している状態を示した断面図である。
【図７】主成形面の外部輪郭部分に第１の合成樹脂原料をスプレー塗布するに際し、その一部が副成形面に付着することを示した説明断面図である。
【図８】図５に例示した表皮成形型において、意匠形成層および予備成形面に第２の合成樹脂原料をスプレー塗布して、意匠製品部、意匠外製品部および製品外部に亘る形状保持層を成形している状態を示した断面図である。
【図９】発泡成形型の概略断面図であって、第１成形型に予備成形した表皮材をセットすると共に、第２成形型に予備成形した基材をセットする状態を示している。
【図１０】(ａ)は型閉めした状態で示した発泡成形型の概略断面図であり、(ｂ)は(ａ)のＣ部拡大図である。
【図１１】発泡空間内で発泡原料が発泡反応することで発泡体が成形された状態を示した発泡成形型の概略断面図である。
【図１２】(ａ)は、不要部分を切除する前のインストルメントパネルの断面図であって、この不要部分を切除するためのカットラインを示しており、(ｂ)は、表皮材の製品外部を含む不要部分を切除した状態を示している。
【図１３】従来の表皮材を採用した表皮一体発泡成形品としてのインストルメントパネルの概略断面図である。
【図１４】従来から実施されている表皮材の概略断面図である。
【符号の説明】
【００３２】
１０  表皮一体発泡成形品
１２  基材
１４  発泡体
３０  表皮材
３２  意匠製品部
３４  意匠外製品部
３６  製品外部
４０  意匠形成層
４２  形状保持層
５２  表皮成形面
６０  発泡成形型
６６  発泡空間
Ｔ２  肉厚(製品外部の)
Ｕ１  第１の合成樹脂原料
Ｕ２  第２の合成樹脂原料
【図１】
2005074800.tif 000003
【図２】
2005074800.tif 000004
【図３】
2005074800.tif 000005
【図４】
2005074800.tif 000006
【図５】
2005074800.tif 000007
【図６】
2005074800.tif 000008
【図７】
2005074800.tif 000009
【図８】
2005074800.tif 000010
【図９】
2005074800.tif 000011
【図１０】
2005074800.tif 000012
【図１１】
2005074800.tif 000013
【図１２】
2005074800.tif 000014
【図１３】
2005074800.tif 000015
【図１４】
2005074800.tif 000016